(57)【要約】      （修正有）【課題】対象物のステレオ視によって対象物の位置を計測するに際し、量子化誤差を軽減することができる位置計測システム及び位置計測方法を提供する。【解決手段】位置計測システム１では、対象物Ｔのステレオ視において２台のカメラの視線領域が重なる重複領域に対象物Ｔの真値（真の座標）が存在することに鑑み、視線領域ＳＲ１，ＳＲ２が、カメラ２１，２２の移動によって、隣り合う一方の視線領域から他方の視線領域に移動したことを検出したときには、視線領域ＳＲ１と視線領域ＳＲ２とが重なる重複領域ＤＲ１のうち、一方の視線領域と他方の視線領域との境界領域に対象物Ｔが位置すると判断し、対象物Ｔの位置を算出する。これにより、重複領域ＤＲ１から境界領域へと、真値が存在する領域が狭められる。【選択図】図１
2010281685.tif 000002
【特許請求の範囲】
【請求項１】
対象物のステレオ視によって前記対象物の位置を計測する位置計測システムであって、
画像を構成する複数の最小要素のそれぞれの中心を通る第１の視線、及び前記第１の視線のそれぞれを中心として前記最小要素ごとに設定された第１の視線領域を有し、所定の前記第１の視線領域にて前記対象物を捉える第１の撮像光学系と、
画像を構成する複数の最小要素のそれぞれの中心を通る第２の視線、及び前記第２の視線のそれぞれを中心として前記最小要素ごとに設定された第２の視線領域を有し、所定の前記第２の視線領域にて前記対象物を捉える第２の撮像光学系と、
前記第１の撮像光学系及び前記第２の撮像光学系の少なくとも１つが動いた場合において、所定の前記第１の視線領域及び所定の前記第２の視線領域の少なくとも１つが、隣り合う一方の視線領域から他方の視線領域に移動したことを検出したときには、所定の前記第１の視線領域と所定の前記第２の視線領域とが重なる重複領域のうち、前記一方の視線領域と前記他方の視線領域との境界領域に前記対象物が位置すると判断し、前記対象物の位置を算出する演算部と、を備えることを特徴とする位置計測システム。
【請求項２】
所定の前記第１の視線領域及び所定の前記第２の視線領域は、画像における前記対象物の重心点又は特徴点を捉えることを特徴とする請求項１記載の位置計測システム。
【請求項３】
前記第１の撮像光学系及び前記第２の撮像光学系の少なくとも１つを動かす駆動機構を更に備え、
前記演算部は、前記駆動機構によって動かされた前記第１の撮像光学系の動き量に基づいて、前記第１の視線領域を更新し、前記駆動機構によって動かされた前記第２の撮像光学系の動き量に基づいて、前記第２の視線領域を更新することを特徴とする請求項１又は２記載の位置計測システム。
【請求項４】
前記第１の撮像光学系及び前記第２の撮像光学系の動き量を検出する動き量検出器を更に備え、
前記演算部は、前記動き量検出器によって検出された前記第１の撮像光学系の前記動き量に基づいて、前記第１の視線領域を更新し、前記動き量検出器によって検出された前記第２の撮像光学系の前記動き量に基づいて、前記第２の視線領域を更新することを特徴とする請求項１又は２記載の位置計測システム。
【請求項５】
対象物のステレオ視によって前記対象物の位置を計測する位置計測方法であって、
画像を構成する複数の最小要素のそれぞれの中心を通る第１の視線、及び前記第１の視線のそれぞれを中心として前記最小要素ごとに設定された第１の視線領域を有し、所定の前記第１の視線領域にて前記対象物を捉える第１の撮像光学系、並びに、画像を構成する複数の最小要素のそれぞれの中心を通る第２の視線、及び前記第２の視線のそれぞれを中心として前記最小要素ごとに設定された第２の視線領域を有し、所定の前記第２の視線領域にて前記対象物を捉える第２の撮像光学系を用意する工程と、
前記第１の撮像光学系及び前記第２の撮像光学系の少なくとも１つが動いた場合において、所定の前記第１の視線領域及び所定の前記第２の視線領域の少なくとも１つが、隣り合う一方の視線領域から他方の視線領域に移動したことを検出したときには、所定の前記第１の視線領域と所定の前記第２の視線領域とが重なる重複領域のうち、前記一方の視線領域と前記他方の視線領域との境界領域に前記対象物が位置すると判断し、前記対象物の位置を算出する工程と、を含むことを特徴とする位置計測方法。
【発明の詳細な説明】
【技術分野】
【０００１】
本発明は、対象物のステレオ視によって対象物の位置を計測する位置計測システム及び位置計測方法に関する。
【背景技術】
【０００２】
対象物の位置を計測するに際しては、多数の画素の配列によって受光部が構成された撮像素子（例えば、ＣＭＯＳやＣＣＤ等）を有する第１のカメラ及び第２のカメラを用意し、それらのカメラを用いて対象物のステレオ視を行う。すなわち、第１のカメラは、画像を構成する多数の画素のそれぞれの中心を通る第１の視線、及び第１の視線のそれぞれを中心として画素ごとに設定された第１の視線領域を有しており、このとき、対象物を捉えた第１の視線領域を所定の第１の視線領域とする。一方、第２のカメラは、画像を構成する多数の画素のそれぞれの中心を通る第２の視線、及び第２の視線のそれぞれを中心として画素ごとに設定された第２の視線領域を有しており、このとき、対象物を捉えた第２の視線領域を所定の第２の視線領域とする。これにより、対象物の真値（真の座標）は、対象物を捉えた所定の第１の視線領域と所定の第２の視線領域とが重なる重複領域内に存在することになるが、重複領域内のどこに位置するかは分からない。
【０００３】
そこで、例えば、重複領域の重心点を算出して、その重心点を対象物の真値として代用する場合があるが、これでは、対象物の位置の計測に誤差が生じるおそれがある。このような誤差が生じるのは、撮像素子の受光部の各画素が所定の大きさを有していることに起因して、重複領域も所定の大きさを有することになるからである。以下、この誤差を量子化誤差という。
【０００４】
このような量子化誤差を軽減する技術として、特許文献１には、所定の間隔で配置された３台以上のカメラのうち２台のカメラを異なる組合せで選定して、各組合せにおいて対象物までの距離を算出し、その平均値をとる距離計測方法が記載されている。
【先行技術文献】
【特許文献】
【０００５】
【特許文献１】特開２００６−３８７１８号公報
【発明の概要】
【発明が解決しようとする課題】
【０００６】
上述した特許文献１記載の距離計測方法は、量子化誤差を軽減する技術として有効であるが、更なる量子化誤差の軽減が望まれている。
【０００７】
そこで、本発明は、対象物のステレオ視によって対象物の位置を計測するに際し、量子化誤差を軽減することができる位置計測システム及び位置計測方法を提供することを課題とする。
【課題を解決するための手段】
【０００８】
上記課題を解決するため、本発明に係る位置計測システムは、対象物のステレオ視によって対象物の位置を計測する位置計測システムであって、画像を構成する複数の最小要素のそれぞれの中心を通る第１の視線、及び第１の視線のそれぞれを中心として最小要素ごとに設定された第１の視線領域を有し、所定の第１の視線領域にて対象物を捉える第１の撮像光学系と、画像を構成する複数の最小要素のそれぞれの中心を通る第２の視線、及び第２の視線のそれぞれを中心として最小要素ごとに設定された第２の視線領域を有し、所定の第２の視線領域にて対象物を捉える第２の撮像光学系と、第１の撮像光学系及び第２の撮像光学系の少なくとも１つが動いた場合において、所定の第１の視線領域及び所定の第２の視線領域の少なくとも１つが、隣り合う一方の視線領域から他方の視線領域に移動したことを検出したときには、所定の第１の視線領域と所定の第２の視線領域とが重なる重複領域のうち、一方の視線領域と他方の視線領域との境界領域に対象物が位置すると判断し、対象物の位置を算出する演算部と、を備えることを特徴とする。
【０００９】
また、本発明に係る位置計測方法は、対象物のステレオ視によって対象物の位置を計測する位置計測方法であって、画像を構成する複数の最小要素のそれぞれの中心を通る第１の視線、及び第１の視線のそれぞれを中心として最小要素ごとに設定された第１の視線領域を有し、所定の第１の視線領域にて対象物を捉える第１の撮像光学系、並びに、画像を構成する複数の最小要素のそれぞれの中心を通る第２の視線、及び第２の視線のそれぞれを中心として最小要素ごとに設定された第２の視線領域を有し、所定の第２の視線領域にて対象物を捉える第２の撮像光学系を用意する工程と、第１の撮像光学系及び第２の撮像光学系の少なくとも１つが動いた場合において、所定の第１の視線領域及び所定の第２の視線領域の少なくとも１つが、隣り合う一方の視線領域から他方の視線領域に移動したことを検出したときには、所定の第１の視線領域と所定の第２の視線領域とが重なる重複領域のうち、一方の視線領域と他方の視線領域との境界領域に対象物が位置すると判断し、対象物の位置を算出する工程と、を含むことを特徴とする。
【００１０】
これらの位置計測システム及び位置計測方法においては、第１の撮像光学系の所定の第１の視線領域と第２の撮像光学系の所定の第２の視線領域とが重なる重複領域に対象物の真値（真の座標）が存在することに鑑み、所定の第１の視線領域及び所定の第２の視線領域の少なくとも１つが、撮像光学系の動きによって、隣り合う一方の視線領域から他方の視線領域に移動したことを検出したときには、所定の第１の視線領域と所定の第２の視線領域とが重なる重複領域のうち、一方の視線領域と他方の視線領域との境界領域に対象物が位置すると判断し、対象物の位置を算出する。これにより、重複領域から境界領域へと、対象物の真値が存在する領域が狭められるので、対象物のステレオ視によって対象物の位置を計測するに際し、量子化誤差を軽減することが可能となる。なお、視線とは便宜的に導入した概念であり、視線を特定することができなくても、撮像画像上の対象点の画素を特定することができれば、その視線領域を求めることが可能である。また、撮像光学系の動きとは、撮像光学系の移動や回転を含む意味である。
【００１１】
ここで、所定の第１の視線領域及び所定の第２の視線領域は、画像における対象物の重心点又は特徴点を捉えることが好ましい。これにより、第１の撮像光学系及び第２の撮像光学系によって対象物を精度良く捉えることが可能となる。
【００１２】
また、前記第１の撮像光学系及び前記第２の撮像光学系の少なくとも１つを動かす駆動機構を更に備え、前記演算部は、前記駆動機構によって動かされた前記第１の撮像光学系の動き量に基づいて、前記第１の視線領域を更新し、前記駆動機構によって動かされた前記第２の撮像光学系の動き量に基づいて、前記第２の視線領域を更新するようにしても良い。この場合、第１の撮像光学系や第２の撮像光学系が駆動機構によって動かされる時点でその動き量は既知であるため、第１の撮像光学系及び第２の撮像光学系の動き量を検出する動き量検出器が不要となる。なお、撮像光学系の動き量とは、撮像光学系の移動量や回転量を含む意味である。
【００１３】
或いは、前記第１の撮像光学系及び前記第２の撮像光学系の動き量を検出する動き量検出器を更に備え、前記演算部は、前記動き量検出器によって検出された前記第１の撮像光学系の前記動き量に基づいて、前記第１の視線領域を更新し、前記動き量検出器によって検出された前記第２の撮像光学系の前記動き量に基づいて、前記第２の視線領域を更新するようにしても良い。この場合、第１の撮像光学系や第２の撮像光学系の動きに振動等を利用することができ、第１の撮像光学系及び第２の撮像光学系の少なくとも１つを動かす駆動機構が不要となる。
【発明の効果】
【００１４】
本発明によれば、対象物のステレオ視によって対象物の位置を計測するに際し、量子化誤差を軽減することができる。
【図面の簡単な説明】
【００１５】
【図１】本発明に係る位置計測システムの一実施形態の構成図である。
【図２】図１の位置関係にあるカメラの画像を示す図である。
【図３】図１の位置計測システムにおいてカメラの位置関係が異なる場合の重複領域を示す図である。
【図４】図３の位置関係にあるカメラの画像を示す図である。
【図５】図１の位置計測システムにおいてカメラの位置関係が異なる場合の重複領域を示す図である。
【図６】図５の位置関係にあるカメラの画像を示す図である。
【図７】図１，３，５の重複領域の関係を示す図である。
【発明を実施するための形態】
【００１６】
以下、本発明の好適な実施形態について、図面を参照して詳細に説明する。なお、各図において同一又は相当部分には同一符号を付し、重複する説明を省略する。
【００１７】
図１に示されるように、位置計測システム１は、Ｙ軸方向に位置する対象物Ｔの位置を、対象物Ｔのステレオ視によって計測するシステムである。位置計測システム１は、Ｘ軸方向に沿って並設された２台のカメラ（第１の撮像光学系）２１及びカメラ（第２の撮像光学系）２２と、カメラ２１，２２を移動させるＸＹステージ等の駆動機構３１，３２と、カメラ２１，２２からの画像データの取込みや各種演算処理を行うコンピュータ等の演算部１１と、を備えている。更に、位置計測システム１は、カメラ２１，２２から取り込まれた画像データや演算部１１によって算出された結果等を表示するディスプレイ等の表示部１２と、それらの画像データや結果等を記憶するＨＤＤやメモリカード等の記憶部１３と、を備えている。
【００１８】
カメラ２１は、多数の画素（画像を構成する最小要素）の配列によって受光部が構成された撮像素子（例えば、ＣＭＯＳやＣＣＤ等）を有しており、各画素の中心を通る視線、及び各視線を中心として画素ごとに設定された視線領域を有し、対象物Ｔを含む画像を撮像する。ここでは、カメラ２１は、多数の視線領域のうち視線領域ＳＲ１にて対象物Ｔを捉えている。具体的には、カメラ２１は、視線領域ＳＲ１にて、画像における対象物Ｔの重心点を捉えている。同様に、カメラ２２は、多数の画素の配列によって受光部が構成された撮像素子を有しており、各画素の中心を通る視線、及び各視線を中心として画素ごとに設定された視線領域を有し、対象物Ｔを含む画像を撮像する。ここでは、カメラ２２は、多数の視線領域のうち視線領域ＳＲ２にて対象物Ｔを捉えている。具体的には、カメラ２２は、視線領域ＳＲ２にて、画像における対象物Ｔの重心点を捉えている。視線領域ＳＲ１は、３次元空間では、視線ＳＬ１を基準とした四角錐状の領域であり、同様に、視線領域ＳＲ２は、３次元空間では、視線ＳＬ２を基準とした四角錐状の領域である。なお、カメラ２１は、視線領域ＳＲ１にて、画像における対象物Ｔの特徴点を捉えても良く、同様に、カメラ２２は、視線領域ＳＲ２にて、画像における対象物Ｔの特徴点を捉えても良い。また、視線領域ＳＲ１，ＳＲ２は、サブピクセル処理により画像の解像度を上げた際のその最小要素に対応させても良い。
【００１９】
上述した特徴点の例としては、最輝度点（最も輝度の高い点）、特徴的な色の点、パターンマッチングで最も相関の高い座標、画像エッジ、エッジ線とエッジ線との交点、エッジとエピポーラ線（他方のカメラにおける対象物から視線を一方のカメラの画像に投影した線）との交点等がある。これらの特徴点は、カメラによって撮像された２次元画像から抽出される。ここで、パターンマッチングで最も相関の高い座標について説明する。すなわち、異なるカメラにおいて、計測すべき対象物のターゲットを探索することは極めて困難である（「対応点探索」のことで、例えば、水玉模様を撮影した場合、異なるカメラでは、どの水玉かの判断は極めて困難である）。人間の視覚は、対象物を理解しているために対応点探索を容易に行い得る。各ターゲットが完全に同じ水玉ではなく、良く似ているが異なる形の場合を考える。このときには、ターゲットの形で探索することができる。つまり、パターンマッチングで最も相関の高い座標とは、探したいターゲットの形と、画像に写っているいろいろなターゲットの形との相関を求めて、ターゲットの探索することを意味する。相関係数が最も高くない座標を見つけるには、探したいターゲットの形（テンプレート）を画像上で少しずつ移動させ、移動のたびに、テンプレートと画像との（各画素のグレイレベルの）相関係数を計算する。
【００２０】
以上のように構成された位置計測システム１による位置計測方法について説明する。図１に示されるように、演算部１１は、カメラ２１の視線領域ＳＲ１とカメラ２２の視線領域ＳＲ２とが重なる重複領域ＤＲ１を取得する。このとき、カメラ２１の画像では、図２（ａ）に示されるように、対象物Ｔが画素Ｐ１（ｐ）に位置しており、カメラ２２の画像では、図２（ｂ）に示されるように、対象物Ｔが画素Ｐ２（ｐ）に位置している。
【００２１】
ここで、対象物Ｔの真値（真の座標）が重複領域ＤＲ１内に存在することは分かっても、対象物Ｔの真値が重複領域ＤＲ１内のどこに位置するかは分からない。位置計測システム１では、例えば対象物Ｔの真値が重複領域ＤＲ１内の中央手前側（すなわち、重複領域ＤＲ１内のカメラ２１，２２側）に位置するものとした場合に、次のようにして対象物Ｔの真値の位置が特定される。
【００２２】
すなわち、図３に示されるように、駆動機構３１がカメラ２１をＸ軸方向左側に移動させると、演算部１１は、駆動機構３１によって移動させられたカメラ２１の移動量に基づいて、カメラ２１の視線領域ＳＲ１を更新する。この場合において、図４（ａ）に示されるように、カメラ２１の画像で対象物Ｔが右側の画素Ｐ１（ｒ）に移動したときには、演算部１１は、この移動を検出することで、カメラ２１の視線領域ＳＲ１が、隣り合う一方の視線領域から他方の視線領域に移動したことを検出する。対象物Ｔの画素間の移動のタイミングは、画素のグレイレベルを用いて、グレイレベルの変化を検出することで、より高精度に検出することができる。なお、カメラ２２の画像では、図４（ｂ）に示されるように、対象物Ｔが画素Ｐ２（ｐ）に位置している。
【００２３】
そして、カメラ２１の視線領域ＳＲ１が一方の視線領域から他方の視線領域に移動したことを検出した時点において、演算部１１は、図３に示されるように、重複領域ＤＲ１のうち、一方の視線領域と他方の視線領域との境界領域ＢＲ１に対象物Ｔが位置すると判断する。ここで、境界領域ＢＲ１は、カメラ２１の視線領域ＳＲ１が一方の視線領域から他方の視線領域に移動した時点において、カメラ２１の視線領域ＳＲ１とカメラ２２の視線領域ＳＲ２とが重なる重複領域ＤＲ２の右手前側の領域である。
【００２４】
また、図５に示されるように、駆動機構３２がカメラ２２をＸ軸方向右側に移動させると、演算部１１は、駆動機構３２によって移動させられたカメラ２２の移動量に基づいて、カメラ２２の視線領域ＳＲ２を更新する。この場合において、図６（ｂ）に示されるように、カメラ２２の画像で対象物Ｔが左側の画素Ｐ２（ｌ）に移動したときには、演算部１１は、この移動を検出することで、カメラ２２の視線領域ＳＲ２が、隣り合う一方の視線領域から他方の視線領域に移動したことを検出する。なお、カメラ２１の画像では、図６（ａ）に示されるように、対象物Ｔが画素Ｐ１（ｐ）に位置している。
【００２５】
そして、カメラ２２の視線領域ＳＲ２が一方の視線領域から他方の視線領域に移動したことを検出した時点において、演算部１１は、図５に示されるように、重複領域ＤＲ１のうち、一方の視線領域と他方の視線領域との境界領域ＢＲ２に対象物Ｔが位置すると判断する。ここで、境界領域ＢＲ２は、カメラ２２の視線領域ＳＲ２が一方の視線領域から他方の視線領域に移動した時点において、カメラ２１の視線領域ＳＲ１とカメラ２２の視線領域ＳＲ２とが重なる重複領域ＤＲ３の左手前側の領域である。
【００２６】
これにより、演算部１１は、図７に示されるように、境界領域ＢＲ１と境界領域ＢＲ２とが交差する領域に対象物Ｔが位置すると判断して（つまり、対象物Ｔの真値が位置すると判断して）対象物Ｔの位置を算出し、更に、対象物Ｔまでの距離等を算出する。そして、演算部１１は、これらの結果等を表示部１２に表示させたり、記憶部１３に記憶させたりする。
【００２７】
以上説明したように、位置計測システム１では、対象物Ｔを捉えた２台のカメラの視線領域が重なる重複領域に対象物Ｔの真値（真の座標）が存在することに鑑み、視線領域ＳＲ１，ＳＲ２が、カメラ２１，２２の移動によって、隣り合う一方の視線領域から他方の視線領域に移動したことを検出したときには、視線領域ＳＲ１と視線領域ＳＲ２とが重なる重複領域ＤＲ１のうち、一方の視線領域と他方の視線領域との境界領域ＢＲ１，ＢＲ２に対象物Ｔが位置すると判断し、対象物Ｔの位置を算出する。つまり、位置計測システム１では、対象物Ｔが位置する画素Ｐ１（ｐ），Ｐ１（ｐ）が画像の最小要素であることから、画素Ｐ１（ｐ），Ｐ１（ｐ）内における対象物Ｔの真値の位置をその最小要素以上に絞り込むことはできないが、隣り合う画素に移動したタイミングを検出することはできるので、それにより、対象物Ｔの真値の存在範囲を絞り込むのである。これにより、重複領域ＤＲ１から境界領域ＢＲ１，ＢＲ２へと、対象物Ｔの真値が存在する領域が狭められるので、対象物Ｔのステレオ視によって対象物Ｔの位置を計測するに際し、量子化誤差を軽減することが可能となる。
【００２８】
また、位置計測システム１では、カメラ２１，２２の各視線領域ＳＲ１，ＳＲ２が画像における対象物Ｔの重心点又は特徴点を捉える。これにより、カメラ２１，２２によって対象物Ｔを精度良く捉えることが可能となる。
【００２９】
また、位置計測システム１では、演算部１１が、駆動機構３１によって移動させられたカメラ２１の移動量に基づいて視線領域ＳＲ１を更新し、駆動機構３２によって移動させられたカメラ２２の移動量に基づいて視線領域ＳＲ２を更新する。この場合、カメラ２１，２２が駆動機構３１，３２によって移動させられる時点でその移動量は既知であるため、カメラ２１，２２の移動量を検出する動き量検出器（例えば、ジャイロスコープ等の加速度センサ）が不要となり、位置計測システム１の構成の単純化を図ることが可能となる。
【００３０】
本発明は、上述した実施形態に限定されるものではない。
【００３１】
例えば、カメラ等の撮像光学系の移動は、少なくとも１つの撮像光学系を移動させれば良い。そして、撮像光学系の移動は、Ｘ軸方向での移動といった１次元的な移動に限らず、２次元的な移動や３次元的な移動であっても良い。更に、駆動機構によって撮像光学系が移動させられるだけでなく、回転させられても良い。つまり、視線領域ＳＲ１，ＳＲ２が、隣り合う一方の視線領域から他方の視線領域に移動したことを検出することができれば、撮像光学系の移動及び回転の少なくとも一方を行うなど、撮像光学系をどのように動かしても良い。そして、この場合、駆動機構によって動かされた撮像光学系の移動量や回転量等の動き量に基づいて、視線領域ＳＲ１，ＳＲ２を更新すれば良い。
【００３２】
また、駆動機構に代えて、カメラ等の撮像光学系の動き量を検出する動き量検出器（例えば、ジャイロスコープ等の加速度センサ）を設け、演算部１１が、動き量検出器によって検出された撮像光学系の移動量に基づいて視線領域ＳＲ１，ＳＲ２を更新するようにしても良い。撮像光学系の移動量は、画像を構成する最小要素に入る空間量であるため、当該移動量は、対象物Ｔが数メートル先に存在する場合、数ミクロン〜数ミリで済む。従って、撮像光学系の動きに振動（手振れや、車載カメラの場合における車両の振動）等を利用することができるので、駆動機構が不要となり、位置計測システム１の構成の単純化を図ることが可能となる。なお、撮像光学系によって撮像された画像に基づいて、その撮像光学系の移動量を取得すれば、駆動機構に加え、動き量検出器も不要となる。
【００３３】
また、一方の視線領域から他方の視線領域への移動を少なくとも１回検出して、一方の視線領域と他方の視線領域との境界領域を少なくとも１回取得すれば、重複領域に対して、対象物Ｔの真値ＴＰが存在する領域を狭めることができる。ただし、一方の視線領域から他方の視線領域への移動をより多く検出して、一方の視線領域と他方の視線領域との境界領域をより多く取得すれば、対象物Ｔの真値ＴＰが存在する領域をより一層狭めることができ、対象物Ｔの位置の計測精度をより一層向上させることが可能となる。
【００３４】
また、複数の撮像光学系は、複数の光学系（レンズ等）と１つの撮像素子（ＣＣＤやＣＭＯＳ等）との組合せによって構成されても良く、この場合、少なくとも１つの光学系を動かせば良い。逆に、複数の撮像光学系は、１つの光学系と複数の撮像素子との組合せによって構成されても良く、この場合、少なくとも１つの撮像素子を動かせば良い。また、撮像光学系に１次元センサを適用しても良い。この場合、複数の１次元センサを同一平面（水平面）上に並設させることが好ましい。このことは、撮像光学系に２次元センサを適用した場合にも同様であり、各水平走査線を同一平面（水平面）上に配置することが好ましい。このとき、対応する水平走査線が同一直線上にあると更に良い。なお、撮像光学系そのものを移動させても良いし、撮像光学系を構成する光学系や撮像素子を相対的に移動させても良い。
【００３５】
また、上記実施形態では、２次元平面における対象物の位置の計測について説明したが、本発明は、３次元空間における対象物の位置の計測にも適用可能である。
【００３６】
また、上記実施形態は、２つの撮像光学系の視線領域が同時に取得されたことを前提にしているが、実際には、複数の撮像光学系間で走査タイミングを同期させたとしても、ＣＣＤ等ではその特性上、画素ごとに取得タイミングが異なる。しかしながら、撮像光学系が動く速度に比べて走査時間は十分に短いので、実用上問題にはならない。
【符号の説明】
【００３７】
１…位置計測システム、２１…カメラ（第１の撮像光学系）、２２…カメラ（第２の撮像光学系）、３１，３２…駆動機構、１１…演算部、ＳＬ１…視線（第１の視線）、ＳＬ２…視線（第２の視線）、ＳＲ１…視線領域（第１の視線領域）、ＳＲ２…視線領域（第２の視線領域）、Ｄ１…重複領域、ＢＲ１，ＢＲ２…境界領域、Ｔ…対象物。
【図１】
2010281685.tif 000003
【図２】
2010281685.tif 000004
【図３】
2010281685.tif 000005
【図４】
2010281685.tif 000006
【図５】
2010281685.tif 000007
【図６】
2010281685.tif 000008
【図７】
2010281685.tif 000009